【事件の表示】
　平成　１年特許願第１３８９４５号「画像処理装置および方法」拒絶査定に対する審判事件［平成　３年　１月１０日出願公開、特開平　３−　　４６７１］について、次のとおり審決する。
【結　論】
　本件審判の請求は、成り立たない。
【理　由】
１．手続の経緯・本願発明
　本願は、平成１年５月３１日の出願であって、その請求項１に係る発明は、平成１１年３月２９日、及び、平成１２年８月２８日付けの手続補正書により補正された明細書及び図面の記載からみて、本願の特許請求の範囲の請求項１に記載されたとおりの次のものと認める。
「【請求項１】　複数の画像を格納可能な記録媒体から画像の再生を行う再生装置に接続されている画像処理装置であって、
　前記再生装置から、再生された複数の画像を取り込む取り込み手段と、
　前記再生装置で再生された前記複数の画像から、出力すべき画像を選択すべく選択画面を提供する手段と、
　ユーザーの指示に基づき、複数の出力すべき画像のレイアウト情報を生成する生成手段と、
　前記選択画面に基づき、前記複数の出力すべき画像を、前記再生装置で再生可能な複数の画像から選択する選択手段と、
　前記レイアウト情報が生成され、前記選択手段での出力すべき画像の選択の後、前記再生装置をリモート制御して、前記選択手段で選択された複数の画像を、前記記録媒体から順次再生して取り込み、前記生成手段により生成されたレイアウト情報に従って出力する出力手段とを有することを特徴とする画像処理装置。」
　
２．引用例
　これに対して、原審の拒絶理由に引用された、特開昭６０−２０７９６９号公報（以下「引用例１」という。）には、次の事項が記載されている。
（ア）「そこで従来より、複数枚の文書画像からそれぞれ必要な部分画像を切抜き、これらの部分画像を１枚の文書画像上に貼付けて情報整理し、これをファイリングすることが試みられている。」（引用例１の１頁下右欄１５〜１９行）
（イ）「部分画像を効果的にレイアウトしながら簡易に文書画像編集を行うことのできる実用性の高い画像編集装置を提供することにある。」（引用例１の２頁上右欄３〜６行）
（ウ）「本発明は文書画像の任意の領域を切抜いて求められた部分画像ほを部分画像記憶装置に順次格納し、この部分画像記憶装置に記憶された複数の部分画像を同時にディスプレイ表示し、これらの部分画像を適宜選択しながらそのレイアウト位置を決定して上記複数の部分画像に対する画像編集を行うことによって情報整理された文書画像を得るようにしたものである。」（引用例１の２頁上右欄８〜１５行）
（エ）「第１図は実施例装置の概略構成図である。図中１は、画像入力部２より入力された画像データ、および編集処理された画像データ等を文書単位で格納する画像記憶部である。この画像記憶部１に記憶された画像データは、適宜画像出力部３を介して出力されると共に、画像表示部４にて画像表示される。切抜き処理部５ａおよび合成処理部５ｂを備えた画像編集部５は、前記画像表示部４に表示された画像データに対してキー・ボード入力装置６ａやライト・ペン入力装置６ｂを介して制御部７に入力された各種制御情報に従って部分画像の切抜き処理や部分画像の合成編集処理等を行うものである。しかして、上記切抜き処理部５ａによって文書画像中の任意の領域を切抜いて抽出された部分画像は、部分画像記憶部８に与えられて記憶される。この部分画像記憶部８は、このようにして得られた複数の部分画像を管理して記憶保持するものである。そしてこの部分画像記憶部８に記憶された複数の部分画像はそれぞれ縮小変換部９を介して所定の縮小率で画像縮小された後、前記画像表示部４にて一括して表示されるようになっている。このようにして表示された複数の部分画像に対して、前記キー・ボード入力装置６ａ、ライト・ペン入力装置６ｂより画像編集制御情報が入力され、前記合成処理部５ｂにて上記指示入力された情報に応じた画像合成処理が行われる。
　このように構成された装置において、前記切抜き処理部５ａは次のように作用する。先ず画像表示部４は、制御部７の制御の下で前記画像記憶部１に入力されて記憶された複数の画像中から処理対象とする画像を読出し、これを表示する。この画像表示装置４に表示された画像に対して、オペレータは前記キー・ボード入力装置６ａまたはライト・ペン入力装置６ｂを介して上記画像中の必要な情報が存在する領域を指定指示すると、その領域情報が前記制御部７を介して前記切抜き処理部５ａに与えられる。この領域情報を得て切抜き処理部５ａは前記表示画像中の指定指示された領域の画像データのみを切出す。そしてこの切抜き処理部５ａにて前記表示画像中から切抜かれた画像データは部分画像として前記部分画像記憶装置８に出力され、記憶される。切抜き処理部５ａは画像表示部４に順に表示される複数の文書画像に対し、各文書画像中から必要な情報をのみを順次部分画像として切抜いている。」（引用例１の２頁下左欄９行〜３頁上左欄１３行）
（オ）「しかして、部分画像記憶部８に記憶された複数の部分画像は縮小変換部９を介して所定の大きさに縮小変換されたのち、例えば第３図（ａ）に示すように画像表示部４の予め設定された表示領域に部分画像データＡ，Ｂ，Ｃ等として同時表示される。これらの各部分画像の表示位置が前述した表示エリアの情報として前記部分画像記憶部８で管理されている。
　画像表示部４は、例えばその画像表示画像を上記部分画像の表示領域と画像編集領域とに分割設定したものであり、上記画像編集領域に合成処理されたものであり、上記画像編集領域に合成処理された部分画像が貼付けられる台紙となる合成処理対象画像を表示するものとなっている。尚、台３図中ｘはカーソルを示しており、このカーソルｘによって画像編集処理に必要な位置情報等が入力されるようになっている。このカーソルｘの表示画面上での移動は前述したトラック・ボール等を用いて行われる。またこの位置情報の入力をライト・ペンを用いて行うようにしても良い。このように、画像表示部４の表示画面上では、前述した切抜き処理して求められた複数の部分画像と台紙となる合成処理対象画像とが同時表示されるようになっている。
　しかして、この表示画面に対して前記キー・ボード装置６ａから制御部７に画像編集のレイアウト・コマンドを入力し、画像合成モードを設定する。この状態で合成編集すべき部分画像を指定指示し、また前記合成処理対象画像上で上記部分画像をレイアウトすべき位置を指定指示する。これらの指定情報に従って前記合成処理部５ｂは上記指定された部分画像をその指定位置にオーバーレイして、例えば第３図（ｂ）に示すように表示する。尚、この段階では画像の表示制御だけを行うようにし、前記各部分画像に対する全ての編集処理が終了した時点で、前記各部分画像をオーバーレイしてなる前記合成処理対象画像を前記画像記憶部１に書込んで、ここに画像合成処理した１枚の文書画像を得るようにすれば良い。
　このように本装置によれば、各種の文書画像として与えられた情報の中から必要な情報のみを部分画像として切抜き、これを部分画像記憶部４の格納した後、これらの各部分画像を適宜縮小変換して画像表示部４に表示し、そのレイアウトを考慮しながら１枚の整理された文書画像を効果的に作成することができる。しかもこの際、そのレイアウト位置を適宜変更設定することも容易であり、作成される文書画像を確認しながらその編集作業を進めることができる。故に、簡易に、且つ効率良く所望とする文書画像を編集作成することができ、実用的利点が絶大である。」（引用例１の３頁上右欄７行〜同頁下右欄１６行）
（カ）と記載されているから、これらの記載より引用例１には次のことが記載されている。
　「画像入力部２より入力された画像データ、および編集処理された画像データ等を文書単位で格納する画像記憶部１と、
　この画像記憶部１に記憶された画像データを画像表示する、画像表示部４と、
　切抜き処理部５ａおよび合成処理部５ｂを備えた画像編集部５と、
　キー・ボード入力装置６ａ、ライト・ペン入力装置６ｂと、
　各種制御を行う制御部７と、
　上記切抜き処理部５ａによって文書画像中の任意の領域を切抜いて抽出された部分画像を記憶する、部分画像記憶部８とを備え、
  この部分画像記憶部８に記憶された複数の部分画像はそれぞれ縮小変換部９を介して所定の縮小率で画像縮小された後、前記画像表示部４にて一括して表示され、
　このようにして表示された複数の部分画像に対して、前記キー・ボード入力装置６ａ、ライト・ペン入力装置６ｂよりレイアウトを考慮した画像編集制御情報が入力され、前記合成処理部５ｂにて上記指示入力された情報に応じた画像合成処理が行われ、
　そのレイアウトを考慮しながら１枚の整理された文書画像を効果的に作成することができる画像編集装置。」
　
３．対比
　そこで、本願発明と引用例１の発明とを比較すると、
　引用例１は、画像記憶部に記憶された画像データは画像表示部で部分画像データとして表示するために、一旦取り込まれているとみることがき、また、引用例１の第３図（ａ）に示すように部分画像データＡ，Ｂ，Ｃ等として同時表示されているから、これを選択画面とみることもでき、部分画像データから選択をしているから、明記されていないが選択手段も備えていると認められ、また、画像表示部の画面に出力することも画像の出力の１手段であると認められるから、さらに、画像編集装置も画像処理装置であると認められるから、両者は、
「複数の画像が取り込まれ、
　入力された複数の画像から、画像を選択する選択画面を提供する手段と、
　選択画面に基づき、画像を選択する選択手段と、
　選択手段での出力すべき画像の選択の後、レイアウト情報に従って出力する出力手段と
を有する画像処理装置。」
点で一致し、下記の点において相違する。
（相違点１）
　複数の画像の取り込みが、本願発明では、複数の画像を格納可能な記録媒体から画像の再生を行う再生装置に接続され、前記再生装置から、再生された複数の画像を取り込む取り込み手段により取り込まれるのに対して、引用例１では、取り込み手段については明記されていない点。
（相違点２）
　本願発明が、選択画面を提供する手段が、再生装置で再生された複数の画像から、出力すべき画像を選択すべく選択画面を提供するのに対して、引用例１では、画像表示部の予め設定された表示領域に部分画像データＡ，Ｂ，Ｃ等として同時表示する点。
（相違点３）
　本願発明が、ユーザーの指示に基づき、複数の出力すべき画像のレイアウト情報を生成する生成手段を有しているのに対して、引用例１には、複数の出力すべき画像のレイアウト情報を生成する生成手段については記載されておらず、ユーザーの指示のレイアウトで編集作成する点。
（相違点４）
　本願発明では、選択手段が、再生装置で再生可能な複数の画像から選択するのに対して、引用例１では、画像表示部４の予め設定された表示領域に同時表示された部分画像データの中から選択している点。
（相違点５）
　出力手段が、本願発明では、レイアウト情報が生成され、選択手段での出力すべき画像の選択の後、再生装置をリモート制御して、選択手段で選択された複数の画像を、記録媒体から順次再生して取り込み、生成手段により生成されたレイアウト情報に従って出力するのに対して、引用例１では、レイアウト位置に、部分画像記憶部からの、選択された部分画像を表示出力する点。
　
４．当審の判断
 上記相違点について検討すると、
（相違点１）について、
　再生装置として、特段の限定もされていないから、一般的に、複数の画像を格納可能な記録媒体から画像の再生を行う再生装置に接続され画像処理を行う装置は周知のものであり、また、画像を取り込むときに、再生装置から、再生された複数の画像を取り込む取り込み手段を設けることは当業者が必要に応じて適宜おこなえることである。
（相違点２）について、
　必要な画像データを、表示されたものから選択する点では、本願発明も引用例１のものとは相違はせず、選択するため表示された複数の画像を、再生装置で再生された複数の画像とするか、部分画像データとするかは当業者が必要に応じて適宜選択することができることと認められる。
（相違点３）について、
  一般的に、画像の合成、編集において、レイアウトを決めて行うことは通常に行われていることであり、また、引用例１のものレイアウトを考慮しながら、編集作成をしているから、このようなものにおいて、画像のレイアウト情報を生成する生成手段を設けることは当業者が容易に考えられることである。
（相違点４）について、
　上記相違点２で述べたように、必要な画像データを、表示されたものから選択する点では、本願発明も引用例１のものは相違はせず、選択するため表示された複数の画像を、再生装置で再生された複数の画像とするか、部分画像データとするかは当業者が必要に応じて適宜選択することができることと認められることであるから、このような選択を行う選択手段を設けて、再生装置で再生可能な複数の画像から選択する要することは当業者が容易に考えられることである。
（相違点５）について、
　一般的に、文書の編集等を行うときに、初めから、完全な文書、完全な図面を用いないで、文書１、文書２、・・・、図面Ａ、図面Ｂ・・・等として、大まかな配置を決めて、構成の出来具合を確かめてから、実際に配置を行うことは通常行われていることであり、また、部屋などの配置を決めるときも机、ロッカー、作業机等の大まかなレイアウトを決めてから、詳細な位置決めを行うことは通常行われていることであるから、引用例１においても、レイアウトをいったん決めてから、画像データを画像記憶装部から取り出すようにすることは、当業者が必要に応じて適宜行えることであり、また、記憶部として、格納可能な記録媒体は周知であるから、選択した画像データを記録媒体から読み出す必要があれば、本願発明のように、選択手段での出力すべき画像の選択の後、再生装置をリモート制御して、選択手段で選択された複数の画像を、記録媒体から順次再生して取り込み、生成手段により生成されたレイアウト情報に従って出力すればよいことは、当業者ならば当然考えることと認められる。
　
５．むすび
　したがって、本願発明は引用例１に記載された発明に基づいて当業者が容易に発明をすることができないものであるので、特許法第２９条第２項の規定により特許を受けることができない。
　よって、結論のとおり審決する。